(57)【要約】  ハウジング８０と、空気入口２２と、空気出口２４と、前記ハウジング内において、前記空気入口と前記空気出口との間に延在する支持構造体３０であって、少なくとも１つの固体照明素子１０を担持する区域３２を含む、支持構造体３０と、導管２０であって、導管が支持構造体上に延在するように前記空気入口から前記空気出口に達する導管２０と、前記導管内に取り付けられたファン４０であって、空気出口よりも空気入口の近くに配置されている、ファン４０と、を含む、照明デバイス１が開示される。そのような照明デバイスを含む照明器具もまた開示される。
2016526753.tif 000002
【特許請求の範囲】
【請求項１】
ハウジングと、
空気入口及び空気出口と、
前記ハウジング内において、前記空気入口と前記空気出口との間に延在する支持構造体であって、少なくとも１つの固体照明素子を担持する区域を含む、支持構造体と、
前記支持構造体上に延在するように前記空気入口から前記空気出口に達する導管と、
前記導管内に取り付けられたファンであって、前記空気出口よりも前記空気入口の近くに配置されている、ファンと、を含み、
前記支持構造体が、前記空気入口から前記区域まで延在する第１の傾斜面部と、前記区域から前記空気出口まで延在する第２の傾斜面部と、を有し、前記ファンが前記区域に対して傾斜されるように、前記ファンが前記第１の傾斜面部に取り付けられている、照明デバイス。
【請求項２】
前記区域を貫通する中心軸線を有し、前記ファンは前記中心軸線から離れて取り付けられている、請求項１に記載の照明デバイス。
【請求項３】
前記空気入口及び前記空気出口は前記照明デバイスの同じ面に配置されている、請求項１又は２に記載の照明デバイス。
【請求項４】
前記面は、前記空気入口を前記空気出口から隔てる光出口窓を更に含み、前記少なくとも１つの固体照明素子は、前記少なくとも１つの固体照明素子が前記支持構造体と前記光出口窓との間に位置付けられるように、前記区域によって担持される、請求項３に記載の照明デバイス。
【請求項５】
前記支持構造体は、ヒートシンクである、請求項１乃至４の何れか一項に記載の照明デバイス。
【請求項６】
前記区域は、前記少なくとも１つの固体照明素子を担持する第１の面と、前記第１の面に対向する第２の面と、を含み、前記第２の面は前記導管内に延在する複数のフィンを担持し、前記ファンは、前記空気入口と前記複数のフィンとの間に配置されている、請求項５に記載の照明デバイス。
【請求項７】
前記複数のフィンは、前記空気出口上に延在する、請求項６に記載の照明デバイス。
【請求項８】
前記ヒートシンクは、前記導管の少なくとも一部の両側に空気案内部材の対を含む、請求項５乃至７の何れか一項に記載の照明デバイス。
【請求項９】
前記支持構造体は、前記区域の周囲に環状傾斜面を含み、前記環状傾斜面は、第１の傾斜面部及び第２の傾斜面部を含む、請求項１乃至８の何れか一項に記載の照明デバイス。
【請求項１０】
ドライバ回路と、前記ドライバ回路を冷却するための更なるヒートシンクと、を更に含み、前記更なるヒートシンクは、前記区域に対向して位置付けられ、且つ前記区域から前記導管によって分離される、請求項１乃至９の何れか一項に記載の照明デバイス。
【請求項１１】
前記少なくとも１つの固体照明素子は、発光ダイオードである、請求項１乃至１０の何れか一項に記載の照明デバイス。
【請求項１２】
光バルブである、請求項１乃至１１の何れか一項に記載の照明デバイス。
【請求項１３】
請求項１乃至１２の何れか一項に記載の照明デバイスを含む、照明器具。
【請求項１４】
トラック照明器具である、請求項１３に記載の照明器具。
【発明の詳細な説明】
【技術分野】
【０００１】
本発明は、少なくとも１つの固体照明（ＳＳＬ：solid state lighting）素子と、少なくとも１つのＳＳＬ素子を冷却するための冷却ファンと、を含む、照明デバイスに関する。
【０００２】
本発明は、更に、そのような照明デバイスを含む照明器具に関する。
【背景技術】
【０００３】
固体照明（ＳＳＬ）は、多くの照明用途において急速に標準となりつつある。これは、発光ダイオード（ＬＥＤ：light emitting diode）などのＳＳＬ素子が、白熱照明デバイス及び蛍光照明デバイス、例えば、電球などの従来の選択肢と比べて優れた寿命及びエネルギー消費量を示すことが理由である。
【０００４】
しかしながら、顧客満足度を向上し、市場への浸透を増加するためには、依然として克服すべき課題がある。例えば、ＳＳＬを用いたデバイスは、多くの場合、従来の選択肢と比べて美観に劣る光を生成すると認識されている。また、ＳＳＬを用いた照明デバイスによって生成される光のばらつきが不満となり得る。そのようなばらつきは、例えば、ＳＳＬ素子の動作温度が異なり得るというような、デバイスのＳＳＬ素子の熱管理が不十分な場合に発生し得る。ＳＳＬ素子の動作温度が異なり得ることで、ＳＳＬ素子によって生成される色度点（colour point）が変化する場合があるが、これは、色度点が、通常、ＳＳＬ素子の動作温度の関数であることが理由である。
【０００５】
このような熱管理の課題は、高出力のＳＳＬを用いた照明デバイス、例えば、高出力ＬＥＤランプを設計する場合に特に顕著となる。非常に多くの場合、１つ又は複数のＳＳＬ素子によって発生した熱を放散するためのヒートシンクのスケールアップは、ヒートシンクが配置される必要がある制限された容積、例えば、標準サイズの電球の内部容積内のために、不十分であるか、事実上不可能であるかのいずれかである。
【０００６】
これにより、照明デバイスの設計に冷却ファンが組み込まれ、ＳＳＬ素子上に空気を強制的に送ることによって、照明デバイスの設計におけるヒートシンクの熱放散要件を低減する、１つ又は複数のＳＳＬ素子を含む照明デバイスの出現に至った。
【０００７】
そのような冷却ファンを含む照明デバイスの一例は、欧州特許出願公開第２５９７３５２Ａ１号に開示されている。この開示では、ＬＥＤ光源は、ＬＥＤ基板を収容する第１のハウジングと、ＬＥＤ制御部品を収容する第２のハウジングと、第１のハウジングと第２のハウジングとを互いに連結する連結部材と、を含む。ＬＥＤ光源は、第１のハウジングと第２のハウジングとの間に設けられたファン機構と、第１のハウジング内の、ファン機構周囲に設けられた熱放散フィンと、空気路であって、その一端の開口部が、第２のハウジングの、ファン機構空気入口側に面する位置に形成され、他方の開口部が、第２のハウジングの対向する面と異なる面に形成される、空気路と、を更に含む。
【０００８】
しかしながら、ＬＥＤ素子（又は他のＳＳＬ素子）に直接近接するそのようなファンの配置には課題がない訳ではない。ＳＳＬ素子によって発生した熱は、ファン及び照明デバイス全体の寿命を低減する可能性がある。これを避けるために、ファンの容量を増加させてもよいが、これにより、通常、ファンの騒音レベルも増加し、顧客満足度の観点から許容できない可能性がある。
【０００９】
更に、特に、照明器具の壁の、空気入口及び空気出口への接近が空気流を著しく制限する場合があり、光源の不十分な冷却に繋がる可能性がある、密閉された照明器具内に光源が取り付けられる場合、このＬＥＤ光源の空気入口及び空気出口の位置は理想に遠く及ばない。
【００１０】
米国特許出願公開第２００６／１９３１３９Ａ１号、独国特許出願公開第１０２００７０４３９６１Ａ１号、米国特許出願公開第２００９／３２３３６１Ａ１号、米国特許出願公開第２００３／０３８２９１Ａ１号及び米国特許出願公開第２０１２／０３２５８８Ａ１号はそれぞれ、照明デバイス内のファン構成を開示している。
【発明の概要】
【課題を解決するための手段】
【００１１】
本発明は、これら課題の少なくとも幾つかに対処した照明デバイスを提供しようとするものである。
【００１２】
本発明は、更に、そのような照明デバイスを含む照明器具を提供しようとするものである。
【００１３】
一態様によれば、ハウジングと、空気入口と、空気出口と、前記ハウジング内において、前記空気入口と前記空気出口との間に延在する支持構造体であって、少なくとも１つの固体照明素子を担持する区域を含む、支持構造体と、導管であって、導管が支持構造体上に延在するように前記空気入口から前記空気出口に達する導管と、前記導管内に取り付けられたファンであって、空気出口よりも空気入口の近くに配置されている、ファンと、を含み、支持構造体が、空気入口から前記区域まで延在する第１の傾斜面部と、前記区域から空気出口まで延在する第２の傾斜面部と、を有し、ファンが前記区域に対して傾斜されるように、ファンが第１の傾斜面部に取り付けられている、照明デバイスが提供される。
【００１４】
そのような傾斜姿勢でのファンの配置により、照明デバイスの内部スペースの利用が向上する。そのような傾斜姿勢のファンの直径は最大化することができ、低下した騒音レベルでの、増加する空気流の生成を促進する。更に、そのような傾斜支持構造体の提供及び傾斜面部におけるファンの配置により、導管内における塵埃の蓄積が減少し、従って、照明デバイスの寿命が更に向上することが判明している。
【００１５】
キャリアの、少なくとも１つのＳＳＬ素子が取り付けられている区域からファンを離すことによって、ファンと少なくとも１つのＳＳＬ素子との間の熱的結合が低減される。これにより、ＳＳＬ素子のすぐ近傍に、例えば、そのような要素の真上又は真下にファンが取り付けられる（この場合、前に説明したように、ファン自体が過熱することになり得る）先行技術の配置と比べて、より小型のファンの使用が可能になる。
【００１６】
照明デバイスは、前記区域を貫通する中心軸線を有してもよく、ファンは前記中心軸線から離れて取り付けられる。
【００１７】
一実施形態においては、空気入口及び空気出口は照明デバイスの同じ面に配置されている。
【００１８】
前記面は、空気入口を空気出口から隔てる光出口窓を更に含んでもよく、少なくとも１つの固体照明素子は、少なくとも１つの固体照明素子が支持構造体と光出口窓との間に配置されるように、前記区域によって担持される。この実施形態は、ファンによって支持構造体上に強制的に送られる空気の流れによって支持構造体の全長が冷却され得るように、支持構造体の一方の側から逆側に達する導管を効果的に提供する。更に、この配置は、空気入口及び空気出口が光出口窓の隣に配置され、従って、そのような密閉された照明器具、例えば、トラック照明器具において露出されたままとなるため、密閉された照明器具において有利に使用され得る。
【００１９】
支持構造体は、少なくとも１つのＳＳＬ素子の冷却を補助するヒートシンクであってもよい。
【００２０】
一実施形態においては、前記区域は、少なくとも１つの固体照明素子を担持する第１の面と、第１の面に対向する第２の面と、を含み、前記第２の面は導管内に延在する複数のフィンを担持し、ファンは、空気入口と複数のフィンとの間に配置されている。フィンによりヒートシンクの有効面積が増加し、且つファンがヒートシンクから熱的に分離されたままであるため、これにより、少なくとも１つのＳＳＬ素子の熱放散が更に向上する。
【００２１】
複数のフィンは、これらフィンの面積を最適化するために空気出口上に延在してもよい。
【００２２】
ヒートシンクは、前記導管の少なくとも一部の両側に、導管を画定し、且つフィンによって画定される流路内に空気の流れが強制的に送られることを確実とするための空気案内部材の対を更に含んでもよい。
【００２３】
支持構造体は、前記区域周囲に環状傾斜面を含んでもよく、前記環状傾斜面は、第１の傾斜面部及び第２の傾斜面部を含む。例えば、支持構造体は切頭円錐形状を有してもよい。
【００２４】
一実施形態においては、照明デバイスは、ドライバ回路と、前記ドライバ回路を冷却するための更なるヒートシンクと、を更に含み、更なるヒートシンクは、前記区域に対向して配置され、且つ前記区域から前記導管によって分離される。これは、ファンを過熱することなく、単一の導管が少なくとも１つのＳＳＬ素子及びドライバ回路の両方の効率的な冷却を提供するという利点を有する。
【００２５】
少なくとも１つの固体照明素子は、有機又は無機ＬＥＤなどの発光ダイオードであることが好ましい。
【００２６】
照明デバイスは、ＭＲ１６、Ｐａｒ３０、Ｐａｒ３８、ＢＲ３０、ＢＲ４０、ＧＵ１０又はＡＲ１１１型電球等の電球であってもよい。任意の適切な型又はサイズの電球が考慮されてもよい。
【００２７】
別の態様によれば、本発明の一実施形態による照明デバイスを含む照明器具が提供される。照明器具は、例えば、トラック照明器具であってもよい。そのような照明器具は、照明デバイスが、照明器具に取り付けられている一方で、依然として効果的に冷却され得るという点で、本発明の一実施形態による照明デバイスを含むことにより恩恵を受ける。これにより、照明器具が照明デバイスを通過する空気流を制限することによる照明器具内の照明デバイスの比較的頻繁な故障によって顧客が悩まされることはないため、照明器具の顧客満足度が向上する。
【００２８】
本発明の実施形態は、添付の図面を参照しながら、より詳細に且つ非限定的な例によって説明される。
【図面の簡単な説明】
【００２９】
【図１】本発明の一実施形態による照明デバイスの断面図を概略的に示す。
【図２】本発明の一実施形態による照明デバイスの面を概略的に示す。
【図３】本発明の一実施形態による照明デバイスの一態様の上面図を概略的に示す。
【図４】図３に示される態様の断面図を概略的に示す。
【図５】図３に示される態様の斜視図を概略的に示す。
【図６】本発明の一実施形態による照明デバイスの別の態様の斜視図を概略的に示す。
【図７】図６に示される照明デバイスの態様の別の斜視図を概略的に示す。
【図８】本発明の一実施形態による照明デバイスの分解図を概略的に示す。
【図９】本発明の一実施形態による照明デバイスの断面を通過する空気流のシミュレーション結果を概略的に示す。
【図１０】本発明の一実施形態による照明デバイスの別の断面を通過する空気流のシミュレーション結果を概略的に示す。
【図１１】本発明の一実施形態による照明器具の断面図を概略的に示す。
【発明を実施するための形態】
【００３０】
図は単に概略であり、一定の縮尺で描かれていないことは理解すべきである。また、図の全体を通し、同じ又は類似の部品を示すために同じ参照符号が使用されることは理解されるべきである。
【００３１】
図１は、一実施形態による照明デバイス１の断面図を概略的に示す。照明デバイス１は、例えば、電球であっても、任意の他の適切な照明デバイスであってもよい。照明デバイス１は、１つ又は複数のＳＳＬ素子１０の光束が照明デバイス１の光出口窓１２に向かって誘導されるように、１つ又は複数のＳＳＬ素子１０が取り付けられた支持構造体３０を含む。１つ又は複数のＳＳＬ素子１０は、例えば、ＬＥＤ、例えば、無機又は有機ＬＥＤであってもよい。具体的に図示しないが、照明デバイス１は、更に又は代替的に、１つ又は複数のＳＳＬ素子１０の光束を光出口窓１２に向かって方向転換するための１つ又は複数の反射素子を含んでもよい。
【００３２】
光出口窓１２は、通常、照明デバイス１の透明又は半透明部分であり、任意の適切な材料、例えば、ガラス、又は光学グレードのポリカーボネート若しくはポリメタクリル酸メチル（ＰＭＭＡ）などの十分に透明なポリマーで作製されてもよい。具体的には図示されないが、光出口窓は、付加的に若しくは代替的に、拡散体、レンズ又はマイクロレンズアレイ等などの、１つ若しくは複数の光学素子を含んでもよい。
【００３３】
一実施形態においては、支持構造体３０は、中心区域が第１の傾斜区域３４と第２の傾斜区域３４’との間に配置されるように、１つ又は複数のＳＳＬ素子１０が取り付けられた中心区域３２と、第１の傾斜区域３４と、第２の傾斜区域３４’と、を含む。支持構造体３０は、光出口窓１２と協働して少なくとも１つのＳＳＬ素子１０が配置されるキャビティを画定してもよい。
【００３４】
支持構造体３０は、空気入口２２及び空気出口２４を含む導管２０の一部を更に画定する。一実施形態においては、導管２０は、照明デバイス１のハウジング８０の一部によって更に画定されてもよい。ハウジング８０は、任意の適切な材料、例えば、ガラス又は適切な高分子材料で作製されてもよい。図２に示されるように、空気入口２２及び空気出口２４は、照明デバイス１の同じ面２に配置されてもよく、以下、より詳細に説明されるように、空気入口２２及び空気出口２４が、照明器具に取り付けられている場合であっても常に露出されるように、面２は、好ましくは、光出口窓１２を更に含む面である。図２に示されるように、空気入口２２及び空気出口２４は、大きな物体が導管２０に入ることができないように複数のスリットを含むような形状とされてもよい。これにより、例えば、照明デバイス１の使用者が、空気入口２２又は空気出口２４に指又は別の大きな物体を誤って挟むことを防止する。
【００３５】
ファン４０は、空気を空気入口２２から空気出口２４へと強制的に送るために導管２０内に配置されている。ファン４０は、空気出口２４よりも空気入口２２の近くに配置されるように取り付けられている。このために、ファン４０は、例えば、照明デバイス１の中心軸線１００から離れて取り付けられてもよい。一実施形態においては、ファン４０は、支持構造体３０の中心区域３２と、空気入口２２との間に配置されている。中心区域３２へのファン４０の配置を避けることによって、ファン４０と少なくとも１つのＳＳＬ素子１０との間の大きな熱的結合が回避される。一実施形態においては、ファン４０は、ファン４０が支持構造体３０の中心区域３２に対して傾斜する又は傾くように第１の傾斜区域３４に取り付けられている。この配置は、照明デバイス１による塵埃の取り込みを低減するのに特に好適であり、それによって、照明デバイス１の寿命を増加する。
【００３６】
ファン４０により生成される空気流量ＣＦＭは以下の式を用いて算出され得る。
ＣＦＭ＝Ｑ／（ｃｐ×ρ×ΔＴ）となるような、Ｑ＝ｃｐｍΔＴ＝ｃｐ×ＣＦＭ×ρ×ΔＴ
【００３７】
この式では、Ｑは空気の放熱力、ｃｐは空気の定圧比熱、ρは空気密度、及びΔＴは、空気入口２２に入る空気と空気出口２４を出る空気との間の温度差である。従って、ファン４０は、少なくとも１つのＳＳＬ素子１０及びそのドライバ回路によって発生した熱の量に基づく寸法にされてもよい。この実施形態では、以下、より詳細に説明されるように、導管２０は、更に、ドライバ回路の熱を放散するための更なるヒートシンク６０によって一部が画定されてもよい。
【００３８】
一実施形態においては、支持構造体３０の少なくとも中心区域３２は、少なくとも１つのＳＳＬ素子１０用のヒートシンクを画定する。図３は、上面図を概略的に示し、図４は、断面図を概略的に示し、図５は、そのようなヒートシンク配置の非限定的な例の斜視図を概略的に示す。この実施形態では、支持構造体３０は、照明デバイス１に組み付けられた時に導管２０内部に配置される複数のフィン３６を含む。図４にて最も明確に分かり得るように、ファン４０及びそのホルダ４２は、フィン３６と空気入口２２との間に配置されており、ファン４０は、フィン３６が取り付けられている面に対して傾斜されることが好ましい。
【００３９】
フィン３６は少なくとも部分的に空気出口２４上に延在してもよい。これにより、少なくとも１つのＳＳＬ素子１０のヒートシンクの有効面積が増加するのみならず、更に、導管２０を通過する空気流を空気出口２４に向かって効果的に案内するのを補助する。支持構造体３０は、フィン３６の両側に空気案内部材３８の対を更に含んでもよい。空気案内部材３８は、フィン３６と空気流との間の効果的な熱伝達を確保するために、入射する空気をフィン３６内へと強制的に通過させてもよい。空気案内部材３８は、空気入口２２から空気出口２４へと延在してもよく、空気導管２０の側壁を画定してもよい。
【００４０】
支持構造体３０は、任意の適切な熱伝導性材料、例えば、アルミニウムなどの熱伝導性金属で作製されてもよい。
【００４１】
一実施形態においては、照明デバイス１は、少なくとも１つのＳＳＬ素子１０のドライバ回路用の別個のヒートシンク６０を含んでもよい。そのような更なるヒートシンク６０の非限定的な例示的実施形態は、更なるヒートシンク６０の上面図を概略的に示す図６及び更なるヒートシンク６０の底面図を概略的に示す図７に示される。照明デバイス１に組み付けられると、更なるヒートシンク６０の底部は導管２０に面する。更なるヒートシンク６０は、導管２０に面するキャビティ６４を含むように、例えば、カップ形状であっても帽子形状であってもよい。キャビティ６４は、更なるヒートシンク６０の有効面積を増加し、ドライバ回路によって発生した熱の、導管２０を流れる空気への熱伝達を促進するために、幾つかの更なるフィン６６を収容してもよい。これは、フィン３６と更なるフィン６６とが空間的に重なっていないため、フィン３６と導管内の更なるフィン６６とを位置合わせする必要なしに照明デバイス１が組み付けられ得るように、支持構造体３０が複数のフィン３６を含む場合、特に有利である。
【００４２】
更なるヒートシンク６０は、更なるヒートシンク６０をドライバ回路に熱的に結合するためのリム６２を含んでもよい。更なるヒートシンク６０は、任意の適切な熱伝導性材料、例えば、アルミニウムなどの熱伝導性金属で作製されてもよい。
【００４３】
図８は、本発明の一実施形態による照明デバイス１の分解図を概略的に示す。特に注目すべきなのは、支持構造体３０内の空気入口２２及び空気出口２４の存在であり、支持構造体３０は、更に、その中心区域３２に、光出口窓１２及び少なくとも１つのＳＳＬ素子１０を受け入れるようになっている。少なくとも１つのＳＳＬ素子１０は、例えば、プリント回路基板又は任意の適切な数のＬＥＤを担持する別の適切なキャリアを更に含んでもよい。
【００４４】
以下により詳細に説明されるように、照明器具が空気入口２２及び空気出口２４を通過する空気流を制限しないように、照明器具への照明デバイス１の取り付け時、光出口窓１２、空気入口２２及び空気出口２４が照明器具の開口部に面するように、組み付け時、光出口窓１２、空気入口２２及び空気出口２４は全て同じ方向に面している。疑義を回避するため、空気入口２２及び空気出口２４は、単に非限定的な例として、少なくとも１つのＳＳＬ素子１０の支持構造体３０、例えば、ヒートシンク内に含まれることに留意されたい。例えば、空気入口２２及び空気出口２４を照明デバイス１の別個のハウジングに含むことも等しく実現可能である。
【００４５】
ファン４０を含むファンホルダ４２は支持構造体３０に取り付けられている。前に説明したように、ファン４０を含むファンホルダ４２は、支持構造体３０の中心区域３２に対し角度を成して、例えば、傾斜させて又は傾けて取り付けられることが好ましい。ファン４０は、空気出口２４よりも空気入口２２に近くなるように取り付けられている。ドライバ回路５０もまた、支持構造体３０に取り付けられてもよく、且つ更なるヒートシンク６０に熱的に結合されてもよい。照明デバイス１０は、例えば、シェル７０などの任意の更なる適切な構成要素を使用して完成させてもよい。
【００４６】
この時点で、照明デバイス１内の導管２０は任意の適切な形状を有してもよいことが強調されるが、前に説明したように、その１つ又は複数の壁に開口部を有しない照明器具内に照明デバイスが取り付けられる場合、空気入口２２及び空気出口２４が遮断され得ないように空気入口２２及び空気出口２４が光出口窓１２に隣接して配置されることが好ましい。
【００４７】
図９（上面図）及び図１０（断面図）は、図１１に示されるような密閉された照明器具２００内に配置した場合の、照明デバイス１の導管２０を通過する空気流シミュレーションの結果を示す。図９及び図１０の矢印は、導管２０を流れる空気の速度ベクトルを示す。前述のように、導管２０は空気入口２２から空気出口２４へと延在し、光出口窓１２と、ハウジング８０と、少なくとも１つのＳＳＬ素子１０のドライバ回路用の更なるヒートシンク６０とに面する、少なくとも１つのＳＳＬ素子１０用のヒートシンクとして機能する支持構造体３０によって画定される。支持構造体３０は、フィン３６及び空気案内部材３８を更に含み、ファン４０は、空気入口２２とフィン３６との間の、支持構造体３０の傾斜面に取り付けられている。
【００４８】
図９及び図１０の速度ベクトルによって実証されるように、空気入口２２、空気出口２４及び光出口窓１２が照明デバイス１の同じ面又は面内に配置されるように、光出口窓１２に隣接する空気入口２２及び空気出口２４の位置は、照明デバイス１が照明器具２００に取り付けられる際、導管２０内における空気循環が遮断されないことを確実とする。図１１の矢印は、照明デバイス１に出入りする空気の流れの軌跡を示す。これら矢印は、また、空気入口２２及び空気出口２４が照明器具２００によって妨げられないことを明確に示す。照明器具２００は、例えば、トラック照明器具、例えば、トラックシステム（図示せず）上に取り付けるためのスポットライトであってもよい。
【００４９】
幾つかの実施形態では、例えば、図１０及び図１１から明らかなように、空気入口２２に通じている導管２０の入口区域と、空気出口２４に通じている導管２０の出口区域とがそれぞれ、一方の側では入口区域、もう一方の側では出口区域によって境界が定められる、導管２０の中間区域よりも小さな断面を有する場合、導管２０は、一定でない断面を有してもよい。例えば、図１０及び図１１では、この中間区域はハウジング８０の垂直区域、更なるヒートシンク６０及び少なくとも１つのＳＳＬ素子１０によって境界が定められる。更に、中間区域は、例えば、傾斜形状（oblique shape）を有してもよいが、この理由は、図１０及び図１１に示されるように、更なるヒートシンク６０はハウジング８０の上部区域の全幅に延在しないからである。特定の有利な実施形態においては、ファン４０は、導管２０の中間区域に傾斜した状態で取り付けられている。傾斜形状を有する中間区域の場合、ファン４０は、傾斜中間区域の、最大断面を有する部分に傾斜した状態で取り付けられることが好ましい。これは、そのような傾斜姿勢のファン４０の直径は最大化することができ、低下した騒音レベルでの、増加する空気流の生成を促進するという利点を有する。これにより、照明デバイス１の動作に付随する、知覚される許容できない騒音レベルによる使用者の不満というリスクを低減すると共に、より大きな空気流が、照明デバイス１の冷却の効率も向上し、従って、照明デバイス１の寿命を向上する。
【００５０】
更に、導管２０のより大きな中間区域内におけるそのような傾斜姿勢でのファン４０の配置により、図１０及び図１１に示されるように、照明デバイス１内の導管２０の傾斜中間区域のより広い隅などの、照明デバイス１の内部スペースの利用が向上する。上述の実施形態は、本発明を限定するものではなく説明するものであり、当業者であれば、添付の特許請求の範囲の範囲から逸脱することなく多くの別の実施形態を設計することができることに留意されたい。特許請求の範囲においては、括弧間に配置される任意の参照符号は特許請求の範囲を限定するものとは解釈されない。「含む（comprising）」という語は、特許請求の範囲に列挙したもの以外の要素又はステップの存在を排除しない。要素に先行する「１つの（a）」又は「１つの（an）」という語は、複数のそのような要素の存在を排除しない。本発明は、幾つかの異なる要素を含むハードウェアによって実施され得る。幾つかの手段を列挙するデバイスクレームにおいては、これら手段の幾つかは同一のハードウェア物品によって具現化され得る。相互に異なる従属請求項に特定の施策が列挙されるという単なる事実は、これら施策の組み合わせが効果的に使用され得ないことを示すものではない。
【図１】
2016526753.tif 000003
【図２】
2016526753.tif 000004
【図３】
2016526753.tif 000005
【図４】
2016526753.tif 000006
【図５】
2016526753.tif 000007
【図６】
2016526753.tif 000008
【図７】
2016526753.tif 000009
【図８】
2016526753.tif 000010
【図９】
2016526753.tif 000011
【図１０】
2016526753.tif 000012
【図１１】
2016526753.tif 000013
【国際調査報告】
2016526753.tif 000014
2016526753.tif 000015
2016526753.tif 000016